(57)【要約】　　　（修正有）【課題】　マイクロウェーブを用いて飲食物を調理する機能と共に、パンを焼く機能を備えたトースタを有する電子レンジを提供する。また、パンを焼いている時にパンが傾くことを防止して、パンの両面が均一に焼かれるようにしたトースタ、及びトースタ付電子レンジを提供する。【解決手段】　両側面にスリット４１１がそれぞれ形成されたトースタケース４１０と、トースタケース４１０の内部に設置され、パンを加熱するヒータアセンブリ４５０と、パンを出し入れし、パンを受け入れると同時に傾くことを防止する少なくとも１つのトレイアセンブリ４６０と、からなる。【選択図】　　　図３
2004097827.tif 000002
【特許請求の範囲】
【請求項１】
　両側面にスリットがそれぞれ形成されたトースタケースと、
　前記トースタケースの内部に設置され、パンを加熱するヒータアセンブリと、
　前記パンを出し入れし、前記パンを焼く間傾くことを防止する少なくとも１つのトレイアセンブリと、
　からなるトースタ。
【請求項２】
　前記トレイアセンブリは、
　前記パンを受け入れる少なくとも１つのトレイと、
　前記トレイの下部に装着され、前記トースタケースの両側面のスリットに設置され、前記トレイを動かす移動可能なトレイサポータと、
　前記トレイサポータを移動させる出し入れ装置と、
　入れられたパンが傾かないように固定するホルダー部と、
　からなる請求項１に記載のトースタ。
【請求項３】
　前記ホルダー部は、
　前記ホルダーの前方下端が前記トースタケースの前面に向かって折り曲げられ、後端は前記トースタケースの後面に向かって折り曲げられ、前記各トレイごとに一対ずつ設けられたホルダーからなる請求項２に記載のトースタ。
【請求項４】
　前記ホルダーは、
　耐熱性に優れた材質からなり、直線形、又は格子形からなる請求項３に記載のトースタ。
【請求項５】
　前記ホルダーの前方下端は、左右に移動可能な状態で前記トースタケースの前面に設置され、前記ホルダーの後端は前記トースタケースの後面に固定された請求項３に記載のトースタ。
【請求項６】
　前記ホルダー部は、
　さらに、単一の折り曲げられたワイヤで形成され、両側の所定の地点で交差して両端が前記各ホルダーの前方下端に結合されるスプリングと、
　前記パンが出されるときには、前記スプリングの両端を互いに遠ざけ、前記ホルダー間を離すようにして間隔を空ける手段と、
　からなる請求項５に記載のトースタ。
【請求項７】
　前記間隔を空ける手段は、
　前記トレイサポータの後方下端に一体に形成される本体と、
　前記スプリング折り曲げ部の両側が通過する貫通孔と、
　からなる請求項６に記載のトースタ。
【請求項８】
　前記トースタケースは、
　前記ホルダーの前方の折り曲げ部が結合され、前記パンの投入口が形成された前面プレートからなる請求項７記載のトースタ。
【請求項９】
　前記前面プレートは、
　さらに、前記ホルダーの前方下端の前方に折り曲げられた部分が設置されるように、その下端に所定の幅を有する結合孔を有する請求項８に記載のトースタ。
【請求項１０】
　前記トースタケースは、
　前記ホルダーの後端が、固定される結合孔の形成されたリアプレートからなる請求項９に記載のトースタ。
【請求項１１】
　前記ホルダーは、
　前記前面プレートの結合孔と接触し、前方の折り曲げ部を包み、かつ耐熱性や潤滑性に優れたチューブからなる請求項９に記載のトースタ。
【請求項１２】
　前記トースタは、
　さらに、前記前面プレートの前方に結合されたトースタドアからなる請求項８に記載のトースタ。
【請求項１３】
　前記出し入れ装置は、
　一端が前記トースタドアに連結され、他端が前記トレイサポータに連結された一対の連結レバーと、
　一端が前記トレイサポータに連結され、他端が前記トースタケースの後端に連結された一対のスプリングと、
からなる請求項１２に記載のトースタ。
【請求項１４】
　前記トレイアセンブリは、
　パンを焼く間、前記パンが傾かないようにする少なくとも１つのトレイと、
　前記トレイの下部に装着され、前記パンの出し入れのために移動可能なトレイサポータと、
　前記トレイサポータを移動させる出し入れ装置と、
　からなる請求項１に記載のトースタ。
【請求項１５】
　前記トレイは、
　前記パンを受け入れるベースと、
　前記パンの後方を支持すると同時に、前記パンが傾かないよう両面を支持し、前記パンの後方支持面と所定の角度を有して形成された翼部を有する支持部と、
　からなる請求項１４に記載のトースタ。
【請求項１６】
　前記ベースは、
　長さ方向の両側に前記パンの下部の両面を支持するように、前記パンを受け入れる面と、所定の角度を有して形成された翼部からなる請求項１５に記載のトースタ。
【請求項１７】
　両側面にスリットがそれぞれ形成されたトースタケースと、
　パンを受け入れ、前記パンの下部の両面を支持するように、前記受け入れ面と所定の角度を有して形成された翼部を有するベース、そして、前記パンの後方を支持し、前記パンが傾かないよう両面を支持するように前記パンの後方支持面と所定の角度を有して形成された翼部を有する支持部とを含む、少なくとも１つのトレイからなる、少なくとも１つのトレイアセンブリと、
　前記トースタケースの内部に設置され、前記入れられたパンを加熱するヒータアセンブリと、
　前記トースタケースの前面に設置されるトースタドアと、
　からなるトースタ。
【請求項１８】
　前記トレイアセンブリは、
　前記トレイの下部に装着され、前記パンの出し入れのために移動可能なトレイサポータと、
　前記トレイサポータを移動させる出し入れ装置と、
　前記入られたパンが傾かないように固定するホルダー部と、
　からなる請求項１７に記載のトースタ。
【請求項１９】
　前記ホルダー部は、
　パンが投入される前方の下端が前方に折り曲げられ、後端は後方に折り曲げられ、前記各トレイごとに一対ずつ設置されるホルダーからなる請求項１８に記載のトースタ。
【請求項２０】
　前記ホルダーは、
　耐熱性に優れた材質からなり、直線形、又は格子形からなる請求項１９に記載のトースタ。
【請求項２１】
　前記ホルダー部は、
　さらに、単一の折り曲げられたワイヤで形成され、両側の所定の地点で交差して両端が前記各ホルダーの前方下端に結合されたスプリングと、
　前記パンが出されるときには、前記スプリングの両端を互いに遠ざけ、前記ホルダー間を離すようにして間隔を空ける手段と、
　からなる請求項１９に記載のトースタ。
【請求項２２】
　前記間隔を空ける手段は、
　前記トレイサポータの後方下端に一体に形成される本体と、
　前記スプリング折り曲げ部の両側が通過する貫通孔と、
　からなる請求項２１に記載のトースタ。
【請求項２３】
　前記トースタは、
　さらに、前記トースタケースと、前記トースタドアとの間に結合され、パンの投入口が形成された前面プレートとからなる請求項２２に記載のトースタ。
【請求項２４】
　前記ホルダーの前方下端は、左右に移動可能なように前記前面プレートの下端に設けられ、前記ホルダーの後端は、前記トースタケースの後面に固定された請求項２３に記載のトースタ。
【請求項２５】
　前記前面プレートは、
　さらに、前記ホルダーの前方下端に折り曲げられた部分が設置されるように、その下端に所定の幅を有する結合孔を有する請求項２４に記載のトースタ。
【請求項２６】
　前記出し入れ装置は、
　一端が前記トースタドアに連結され、他端が前記トレイサポータに連結された一対の連結レバーと、
　一端が前記トレイサポータに連結され、他端が前記トースタケースの後端に連結された一対のスプリングと、
　からなる請求項２５に記載のトースタ。
【請求項２７】
　前記ホルダーは、
　さらに、前記前面プレートの結合孔と接触し、前方の折り曲げ部を包み、かつ耐熱性や潤滑性に優れたチューブからなる請求項２５に記載のトースタ。
【請求項２８】
　外観を形成する本体、
　前記本体の内部に形成され、マイクロウェーブにより調理される対象物を収容するキャビティと、
　前記本体内の一部分に備えられ、前記キャビティの内部にマイクロウェーブを供給する各種の電子部品が設置される電装室と、
　トースタと、
　からなり、
　前記トースタは、前記電装室の前方に備えられ、両側面にスリットがそれぞれ形成されたトースタケース、パンを出し入れし、前記パンが傾くことを防止する手段を有する少なくとも１つのトレイアセンブリ、前記トースタケースの内部に設置され、パンを加熱するヒータアセンブリからなるトースタ付電子レンジ。
【請求項２９】
　前記トレイアセンブリは、
　パンを受け入れる少なくとも１つのトレイと、
　前記トレイの下部に装着され、前記パンの出し入れのために移動可能なトレイサポータと、
　前記トレイサポータを移動させる出し入れ装置と、
　前記入られたパンが傾かないように固定するホルダー部と、
　からなる請求項２８に記載のトースタ付電子レンジ。
【請求項３０】
　前記ホルダー部は、
　パンが投入される前方の下端が、前記トースタケースの前面に向かって折り曲げられ、後端は、前記トースタケースの後面に向かって折り曲げられ、前記各トレイごとに一対ずつ設置されるホルダーからなる請求項２９に記載のトースタ付電子レンジ。
【請求項３１】
　前記ホルダーは、
　耐熱性に優れた材質からなり、直線形、又は格子形からなる請求項３０に記載のトースタ付電子レンジ。
【請求項３２】
　前記ホルダーはワイヤからなる請求項３１に記載のトースタ付電子レンジ。
【請求項３３】
　前記ホルダーの前方の下端は、左右に移動可能なように前記トースタケースの前面に設けられ、前記ホルダーの後端は、前記トースタケースの後面に固定された請求項３０に記載のトースタ付電子レンジ。
【請求項３４】
　前記ホルダー部は、
　さらに、単一の折り曲げられたワイヤで形成され、両側の所定の地点で交差して両端が前記各ホルダーの前方の下端に結合されるスプリングと、
　前記パンが出されるときには前記スプリングの両端を互いに遠ざけ、前記ホルダー間を離すようにして間隔を空ける手段と、
　からなる請求項３３に記載のトースタ付電子レンジ。
【請求項３５】
　前記間隔を空ける手段は、
　前記トレイサポータの後方の下端に一体に形成される本体と、
　前記スプリングの折り曲げ部の両側が通過する貫通孔と、
　からなる請求項３４に記載のトースタ付電子レンジ。
【請求項３６】
　前記トースタケースは、
　前記ホルダーの前方の折り曲げ部が結合される、前記パンの投入口が形成された前面プレートからなる請求項３５に記載のトースタ付電子レンジ。
【請求項３７】
　前記前面プレートは、
　さらに、前記ホルダーの前方下端に折り曲げられた部分が設置されるように、その下端に所定の幅を有する結合孔を有する請求項３６に記載のトースタ付電子レンジ。
【請求項３８】
　前記トースタケースは、
　さらに、前記ホルダーの後端が固定された結合孔を有するリアプレートからなる請求項３７に記載のトースタ付電子レンジ。
【請求項３９】
　前記ホルダーは、
　前記前面プレートの結合孔と接触し、前方の折り曲げ部を包み、かつ耐熱性や潤滑性に優れたチューブからなる請求項３７に記載のトースタ付電子レンジ。
【請求項４０】
　前記トースタは、
　さらに、前記前面プレートの前方に結合されたトースタドアからなる請求項３６に記載のトースタ付電子レンジ。
【請求項４１】
　前記出し入れ装置は、 
　一端が前記トースタドアに連結され、他端が前記トレイサポータに連結された一対の連結レバーと、
　一端が前記トレイサポータに連結され、他端が前記トースタケースの後端に連結された一対のスプリングと、
　からなる請求項４０に記載のトースタ付電子レンジ。
【請求項４２】
　前記トレイアセンブリは、
　パンを受け入れた時、前記パンが傾かないようにする少なくとも１つのトレイ、
　前記トレイの下部に装着され、前記パンの出し入れのために移動可能なトレイサポータと、
　前記トレイサポータを移動させる出し入れ装置と、
　からなる請求項２８に記載のトースタ付電子レンジ。
【請求項４３】
　前記トレイは、
　前記パンを受け入れるベースと、
　前記パンの後方を支持すると同時に、前記パンが傾かないよう両面を支持し、前記パンの後方の支持面と所定の角度を有して形成された翼部を有する支持部と、
　からなる請求項４２に記載のトースタ付電子レンジ。
【請求項４４】
　前記ベースは、
　長さ方向の両側に前記パンの下部の両面を支持するように、前記パンを受け入れる面と所定の角度を有して形成された翼部からなる請求項４３に記載のトースタ付電子レンジ。
【請求項４５】
　前記ベースと支持部の翼部は、
　各翼が形成される基準面と９０°〜１８０°の角をなす請求項４４に記載のトースタ付電子レンジ。
【請求項４６】
　外観を形成する本体、
　前記本体の内部に形成され、マイクロウェーブにより調理される対象物を収容するキャビティと、
　前記本体内の一部分に備えられ、前記キャビティの内部にマイクロウェーブを供給する各種の電子部品が設置される電装室と、
　トースタと、
　からなり、
　前記トースタは、前記電装室の前方に備えられ、両側面にスリットがそれぞれ形成されたトースタケース、該トースタケースのスリットに設置され、パンを出し入れし、前記パンの前面を固定するホルダー部、前記パンを受け入れ、前記投入されたパンの後方の両側面を支持して傾かないようにする少なくとも１つのトレイを有し、少なくとも１つのトレイアセンブリ、そして、前記トースタケースの内部に設置され、パンを加熱するヒータアセンブリからなるトースタ付電子レンジ。
【請求項４７】
　前記トレイアセンブリは、
　さらに、前記トレイの下部に装着され、前記パンの出し入れのために移動可能なトレイサポータと、
　前記トレイサポータを移動させる出し入れ装置と、
　からなる請求項４６に記載のトースタ付電子レンジ。
【請求項４８】
　前記ホルダー部は、
　パンが投入される前方の下端が前記トースタケースの前面に向かって折り曲げられ、後端は前記トースタケースの後面に向かって折り曲げられ、前記各トレイごとに一対ずつ設置されたホルダーからなる請求項４７記載のトースタ付電子レンジ。
【請求項４９】
　前記ホルダーは、 
　耐熱性に優れた材質からなり、直線形、又は格子形からなる請求項４８に記載のトースタ付電子レンジ。
【請求項５０】
　前記ホルダー部は、
　さらに、単一の折り曲げられたワイヤで形成され、両側の所定の地点で交差して両端が前記各ホルダーの前方下端に結合されるスプリングと、
　前記パンが出されるときには、前記スプリングの両端を互いに遠ざけ、前記ホルダー間を離すようにして間隔を空ける手段と、
　からなる請求項４９に記載のトースタ付電子レンジ。
【請求項５１】
　前記間隔を空ける手段は、
　前記トレイサポータの後方下端に一体に形成される本体と、
　前記スプリングの折り曲げ部の両側が通過する貫通孔と、
　からなる請求項５０に記載のトースタ付電子レンジ。
【請求項５２】
　前記トースタは、
　さらに、前記トースタケースの前面に結合され、パンの投入口が形成された前面プレートと、
　前記前面プレートの前面に結合されるトースタドアと、
　からなる請求項５１に記載のトースタ付電子レンジ。
【請求項５３】
　前記ホルダーの前方の下端は、左右に移動可能なように前記プレートの下端に設置され、前記ホルダーの後端は、前記トースタケースの後面に固定された請求項５２に記載のトースタ付電子レンジ。
【請求項５４】
　前記前面プレートは、
　前記ホルダーの前方下端方向に折り曲げられた部分が設置されるように、その下端に所定の幅を有する結合孔を有する請求項５３に記載のトースタ付電子レンジ。
【請求項５５】
　前記トースタケースは、
　さらに、前記ホルダーの後端を固定する結合孔を有するリアプレートからなる請求項５４に記載のトースタ付電子レンジ。
【請求項５６】
　前記ホルダーは、
　さらに、前記前面プレートの結合孔と接触するため、前方の折り曲げ部を包み、かつ耐熱性や潤滑性に優れたチューブからなる請求項５４に記載のトースタ付電子レンジ。
【請求項５７】
　前記出し入れ装置は、
　一端が前記トースタドアに連結され、他端が前記トレイサポータに連結された一対の連結レバーと、
　一端が前記トレイサポータに連結され、他端が前記トースタケースの後端に連結された一対のスプリングと、
　からなる請求項５６に記載のトースタ付電子レンジ。
【発明の詳細な説明】
【技術分野】
【０００１】
　本発明はトースタ、及びトースタ付電子レンジに関し、特にトースタに入れられたパンが傾くことを防止する手段を有するトースタ、及びこのようなトースタを有するトースタ付電子レンジに関する。
【背景技術】
【０００２】
　一般に、電子レンジはマイクロウェーブを用いて飲食物を調理したり、冷凍された飲食を解凍する調理機器である。
　かかる電子レンジは、忙しい日常生活において、飲食物をより迅速かつ便利に調理したいという現代人の欲求に応じて開発されてきた。
　このような従来の電子レンジについて説明すると次の通りである。
【０００３】
　従来の電子レンジを添付の図１に基づいて説明する。
　図１は、従来の電子レンジの一般的な構造を示す分解斜視図である。
　図１を参照すると、一般的な電子レンジは、外観を形成する本体１０、本体の内部に形成され、飲食物を収容するキャビティ２０、そして、本体の内部の一部分に備えられ、キャビティの内部にマイクロウェーブを供給する各種の電子部品が設置された電装室３０で構成されている。
　ここで、本体は、一般に前面ケース１１、本体の上部のアウトケース１２、そして、電子レンジの外観を保持する外観フレーム１３からなる。
　そして、前面ケースの開口部にはキャビティの内部を開閉するためのキャビティドア（図示せず）が設置される。
【０００４】
　一方、電装室には、飲食物の料理に必要なマイクロウェーブを生成するマグネトロン３１、該マグネトロンに高い電圧を供給するトランス３２、そして、本体の内部の各種の電子部品を冷却する送風ファン３３などの電子部品が設置される。
【発明の開示】
【発明が解決しようとする課題】
【０００５】
　しかしながら、上記の構成を有する通常の電子レンジは、調理対象物にマイクロウェーブを加えて調理する装置として、一般的な飲食物の調理時には有利であるが、パンを焼くのには適していない。
　また、既存の一般的なトースタは、パンを焼く過程において、トースタの内部に入れられたパンが一方に傾き、両面が均一に焼かれないという問題があった。
【０００６】
　そこで、本発明は上記の問題点に対応して、マイクロウェーブを用いて飲食物を料理する機能と共に、パンを焼く機能を備えたトースタを有する電子レンジを提供することにその目的がある。
【０００７】
　他の目的として、パンを焼いている時にパンが傾くことを防止し、パンの両面が均一に焼かれるようになるトースタ、及びトースタ付電子レンジを提供する。
【課題を解決するための手段】
【０００８】
　上記目的を達成するために、本発明は、両側面にスリットがそれぞれ形成されたトースタケース、トースタケースの内部に設置され、パンを加熱するヒータアセンブリ、パンを出し入れし、パンを焼く時に傾くことを防止する少なくとも１つのトレイアセンブリを含めてなるトースタを提供する。
【０００９】
　トレイアセンブリは、パンを受け入れる少なくとも１つのトレイと、トレイの下部に装着され、トースタケースの両側面のスリットに設置され、トレイを動かし移動可能なトレイサポータと、トレイサポータを移動させる出し入れ装置と、入れられたパンが傾かないように固定するホルダー部と、からなる。
【００１０】
　ホルダー部は、前方下端がトースタケースの前面に向かって折り曲げられ、後端はトースタケースの後面に向かって折り曲げられ、各トレイごとに一対ずつ設けられたホルダーからなる。
　ここで、ホルダーの前方下端は、左右に移動可能な状態でトースタケースの前面に設置され、ホルダーの後端はトースタケースの後面に固定される。
【００１１】
　ホルダー部は、さらに、単一の折り曲げられたワイヤで形成され、ワイヤの両側の所定の場所で交差して両端が各ホルダーの前方の下端に結合されるスプリングと、パンが出されるときにはスプリングの両端を互いに遠ざけてホルダー間が離れるようにして間隔を空ける手段と、からなる。
【００１２】
　トースタケースは、ホルダーの前方の折り曲げ部が結合される前面をなし、パンの投入口が形成された前面プレートからなる。
【００１３】
　前面プレートは、ホルダーの前方下端が前方に折り曲げられた部分が設置されるように、その下端に所定の幅を有する結合孔がさらに形成される。
【００１４】
　そして、ホルダーは、前面プレートの結合孔と接触する前方の折り曲げ部を包み、耐熱性や潤滑性に優れたチューブからなる。
【００１５】
　上記の構成とは異なり、トレイアセンブリは、パンを焼く時に、パンが傾かないようにする少なくとも１つのトレイと、トレイの下部に装着され、パンの出し入れのために移動可能なトレイサポータと、トレイサポータを移動させる出し入れ装置と、からなることもある。
【００１６】
　トレイは、パンを受け入れるベース、パンの後方を支持すると同時に、パンが傾かないよう両面を支持し、パンの後方支持面と所定の角度を有して形成された翼部を有する支持部からなる。
【００１７】
　ベースは、長さ方向の両側でパンの下部の両面を支持するように、パンを受け入れる面と、所定の角度を有して形成された翼部とからなる。
【００１８】
　また、本発明によるトースタは、両側面にスリットがそれぞれ形成されたトースタケースと、パンを受け入れ、パンの下部の両面を支持するように、受け入れ面と所定の角度を有して形成された翼部を有するベース、そして、パンの後方を支持し、パンが傾かないように両面を支持し、パンの後方支持面と所定の角度を有して形成された翼部を有する支持部とを含む少なくとも１つのトレイを含めてなる、少なくとも１つのトレイアセンブリと、トースタケースの内部に設置され、入られたパンを加熱するヒータアセンブリと、トースタケースの前面に設置されるトースタドアと、からなる。
【００１９】
　トレイアセンブリは、トレイの下部に装着され、パンの出し入れのために移動可能なトレイサポータと、トレイサポータを移動させる出し入れ装置と、入れられたパンが傾かないように固定するホルダー部と、からなる。
【００２０】
　ホルダー部は、前方の下端が前方に折り曲げられ、後端は後方に折り曲げられ、各トレイごとに一対ずつ設置されるホルダーからなる。
【００２１】
　一方、上記目的を達成するための他の形態として、本発明は、外観を形成する本体と、本体の内部に形成され、マイクロウェーブにより調理される対象物を収容するキャビティと、本体内の一部分に備えられ、キャビティの内部にマイクロウェーブを供給する各種の電子部品が設置される電装室と、トースタと、からなるトースタ付電子レンジを提供する。
　ここで、トースタは、電装室の前方に備えられ、両側面にスリットがそれぞれ形成されたトースタケースと、パンを出し入れし、パンが傾くことを防止する手段とを有する少なくとも１つのトレイアセンブリと、トースタケースの内部に設置され、パンを加熱するヒータアセンブリと、からなる。
【００２２】
　本発明のまた他の一実施形態として、本発明は、外観を形成する本体と、本体の内部に形成され、マイクロウェーブにより調理される対象物を収容するキャビティと、本体内の一部分に備えられ、キャビティの内部にマイクロウェーブを供給する各種の電子部品が設置される電装室と、トースタと、からなるトースタ付電子レンジを提供する。
　トースタは、電装室の前方に備えられ、両側面にスリットがそれぞれ形成されたトースタケース、該トースタケースのスリットに設置され、パンを出し入れし、パンの前面を固定するホルダー部、パンを受け入れ、投入されたパンの後方の両側面を支持して傾かないようにする少なくとも１つのトレイを含めてなる、少なくとも１つのトレイアセンブリ、そして、前記トースタケースの内部に設置され、パンを加熱するヒータアセンブリからなる。
【００２３】
　ホルダー部は、前方下端がトースタケースの前面に向かって折り曲げられ、後端はトースタケースの後面に向かって折り曲げられ、各トレイごとに一対ずつ設置されるホルダーからなる。
【００２４】
　また、ホルダー部は、さらに、単一のワイヤで形成され、ワイヤの両側の所定の地点で交差して両端が各ホルダーの前方の下端に結合されるスプリングと、パンが出されるときにはスプリングの両端を互いに遠ざけてホルダー間が離れるようにして間隔を空ける手段と、からなる。
【００２５】
　トースタケースは、ホルダーの前方の折り曲げ部が結合される前面をなし、パンの投入口が形成された前面プレートからなる。
【００２６】
　前面プレートは、さらに、ホルダーの前方下端に折り曲げられた部分が設置されるように、その下端に所定の幅を有する結合孔を有する。
【００２７】
　ホルダーは、前面プレートの結合孔と接触する前方の折り曲げ部を含み、耐熱性や潤滑性に優れたチューブを含む。
【発明の効果】
【００２８】
　本発明の効果は次の通りである。
【００２９】
　まず、本発明による電子レンジは、飲食物を調理する従来の一般的な電子レンジの機能に加えてパンを焼く機能を有することにより、別途トースタを備える必要がなくなり、電子レンジの使用頻度を増大させうる効果がある。
　また、トースタの内部に投入されたパンが一方に傾くことを防止して、パンの両面が均一に焼かれるようになる。
　さらに、パンを固定するホルダー４７１の前方の折り曲げ部を包むチューブを含むので、ホルダーの前方の下端と、前面プレートとに形成された結合孔間の摩擦力を最小化し、かつホルダーの動きを円滑にすることができる。
【発明を実施するための最良の形態】
【００３０】
　以下、本発明の実施形態を添付の図面に基づいて詳細に説明する。
【００３１】
　まず、従来の電子レンジにパンを焼く機能が追加された、本発明の全体的な構成を図２及び図３に基づいて説明する。
【００３２】
　図２は、本発明によるトースタを有する電子レンジを示す分解斜視図であり、これを参照して、本発明の構成を説明すると、次の通りである。
　本発明によるトースタを有する電子レンジは、外観を形成する本体１００、その本体の内部に備えられ、マイクロウェーブによって飲食物が調理されるキャビティ２００、本体１００内部の一部分に備えられ、キャビティの内部にマイクロウェーブを提供する各種の電子部品が設置される電装室３００、そして、トースタ４００からなる。
【００３３】
　キャビティは、上述したように、飲食物が収容され、調理される空間であり、その機能や構成は従来の電子レンジと同様であるので、その説明は省略する。但し、使用目的に応じてその大きさが変わることがある。
【００３４】
　電装室３００には飲食物を調理するマイクロウェーブを生成するマグネトロン３１０、該マグネトロンに高電圧を供給するトランス３２０、飲食物の調理時に発生する熱を冷却する冷却ファン３３０などの各種の電子部品が設置される。そして、トースタ４００は、電装室３００の前方に設けられることが好ましい。
【００３５】
　上記のように本発明によるトースタを有する電子レンジは、制限された本体の内部の空間内に各種の電子部品とトースタが設置されるので、従来の電子レンジに比べて多量の熱が発生する。したがって、本体の内部の冷却のためには、冷却ファンの回転数を高める方法などで冷却効率を従来より向上させることが好ましい。
【００３６】
　次に、トースタの構成を図２及び図３に基づいて説明する。
　トースタはトースタケース４１０、前面プレート４２０、前面パネル４３０、トースタドア４４０、ドアロック装置(図示せず)、電源装置（図示せず）、ヒータアセンブリ４５０、そして、トレイアセンブリ４６０からなる。
【００３７】
　トースタケース４１０は、前面が開口され、内部に空間が形成されてトースタの全体的な外観を形成する。また、トースタケースの下部の両側面にはスリット４１１が形成される。そして、スリットはトースタケースの前後方向に細長く形成される。また、トースタケースの後方には、リアプレート４１３が設置され、トースタケースの下部には、外部から取出し可能なようにパン粉受部４８０が設置される。
【００３８】
　前面プレート４２０は、トースタケース４１０の前面に接合され、パンの投入のために１つ以上の投入口が形成されている。即ち、投入口の数に従って、トースタが一回に焼けるパンの数が決定される。
【００３９】
　前面パネル４３０は、さらに、前面プレート４２０の前方に結合され、トースタの前面部の外観を形成し、その中央に開口部を有した四角フレーム形状の本体からなる。
　そして、前面パネルは、ヒータアセンブリ４５０の熱がトースタドアと、前面パネル自体とに伝達されることを防止する断熱膜と、からなることが好ましい。
【００４０】
　トースタドア４４０は、トースタケース４１０の開口部を開閉するようにパネル４３０にヒンジ部によって結合される。ここで、ヒンジ部はトースタドアの下部に設置される。
【００４１】
　ヒータアセンブリ４５０は、トースタケース４１０の内部に設置される。ここで、ヒータアセンブリ４５０は、トースタケースの内部空間を区画する隔壁４５２、その隔壁に内装され、電源供給時に発熱する熱線４５１、そして、熱線に電源を供給する端子４５３からなる。
　隔壁により形成される空間は、焼けるパンの数と同じで、これはまた前面プレートに形成された投入口の数と同一である。
【００４２】
　トレイアセンブリ４６０は、１つのトレイ４６１、トレイサポータ４６２、出し入れ装置４６３、そして、ホルダー部４７０からなる。
【００４３】
　トレイ４６１はパンを受け入れる所であって、パンをトースタケースの内部に入れたり出したりする役割を果たす。トレイ４６１の構成をより詳細に説明すると、トレイ４６１は、パンを受け入れるベース４６１ａと、パンの後面を支持する支持部４６１ｂとからなる。
【００４４】
　トレイサポータ４６２の両側面には、突起部４６２ａが形成され、その突起部は、トースタケース４１０に形成されたスリット４１１に挿入され、ブッシング４６６が装着される。
【００４５】
　ブッシング４６６は、トースタケースに形成された各スリット４１１の外部に露出した状態でトレイサポータ４６２の移動経路を案内する。
　ここで、ブッシング４６６は、テプロンやピーク材のような耐熱性に優れた合成樹脂からなることが好ましい。
【００４６】
　出し入れ装置４６３は、一端がトレイサポータ４６２の突起部で連結され、他端はトースタドアに連結される一対の連結レバー４６３ａと、そして、一端がトレイサポータ４６２に固定され、他端はトースタケース４１０の後端に設置されるリアプレート４１３に固定される一対のスプリング４６３ｂとからなる。
　より詳細には、トースタドア４４０が閉められたとき、各連結レバー４６３ａの一端が連結されたトースタドア４４０の連結部は、各連結レーバ４６３ａの他端が連結されたトレイサポータ４６２との連結部位に比べて高く位置する。これに対し、トースタドアが開されている場合には、トースタドアと連結される各連結レバー４６３ａの一端が、他端より低いか、同じ高さに位置する。
【００４７】
　ここで、出し入れ装置は、上記の構成と同様に、トースタドアによってパンの出し入れが行われる構造の他に、パンが焼き上がると、ロック装置が解除され、スプリングの復元力によって自動的にパンが外部に引き出される構造を有することもある。即ち、上記の構造は出し入れ装置の一例に過ぎない。
【００４８】
　一方、上述したトースタは、パンを前面で出し入れする構造からなっているが、これが上部から行われる構造を有することもある。
【００４９】
　次は、トレイアセンブリの具体的な実施形態、及びその動作を図４Ａ、図４Ｂ、図５Ａ、図５Ｂ、図６、図７Ａ、図７Ｂ、図８に基づいて説明する。但し、トレイアセンブリ４６０以外の構成は上述のものと同様であるので、下記ではその説明を省略する。
　トレイアセンブリは、上述したように、１つ以上のトレイ４６１、トレイサポータ４６２、出し入れ装置４６３、ホルダー部４７０からなる。
【００５０】
　トレイ４６１はパンを受け入れる所であって、トレイサポータ４６２の上部に設置され、トレイサポータの移動時に共に動けるように構成されている。トレイ４６１は、トースタケース４１０の内部に設置され、より詳細には、ヒータアセンブリ４５０に備えられた一対の隔壁の間に設置される。
【００５１】
　図４Ａ、図４Ｂを参照すると、ホルダー部４７０は、トースタケースの内部に設置され、入れられるパンを固定する役割を果たし、パンが入れられる前方の下端がトースタケース４１０の前面に向かって折り曲げられ、後端はトースタケースの後面に向かって折り曲げられ、各トレイ４６１ごとに一対ずつ設置されるホルダー４７１からなる。
【００５２】
　ここで、ホルダー４７１の前方の下端４７１ｂは、左右に移動可能な状態でトースタケースの前面に結合された前面プレート４２０の下端に設けられ、ホルダーの後端４７１ａはトースタケースの後面に固定され、より好ましくは、リアプレート４１３に固定されるように設けられている。
【００５３】
　前面プレート４２０には、パンの出し入れにしたがって、ホルダー４７１の前方の折り曲げ部４７１ｂが、左右に移動可能なように、所定の幅を有する結合孔４２２がさらに形成されている。
　また、リアプレート４１３には、ホルダー４７１の後端の折り曲げ部４７１ａが固定される結合孔４１２が形成されている。そして、結合孔はリアプレートの上、下部に設置されることが好ましい。
【００５４】
　ホルダー４７１は、図５Ａ、図５Ｂに示すように、多数のピンを格子形、又は直線形に連結する構造からなり、耐熱性に優れた材質からなることが好ましい。
　そして、ホルダー部は、さらに、弾性を有するスプリング４７２と、そして、パンを引き出すときに、スプリングの両先端を互いに遠ざけてホルダー４７１間を離すようにする間隔を空ける手段４７３とからなる。
　スプリングは、その中間部が折り曲げられた単一のワイヤで形成され、両側の所定の地点で交差し、かつ両端が各ホルダー４７１の前方の下端に結合されるようになることが好ましい。
【００５５】
　図６を参照すると、間隔を空ける手段４７３は、トレイサポータの後方下端に一体として形成される本体４７３ａと、そして、スプリング折り曲げ部の両側が通過する貫通孔４７３ｂとからなる。
【００５６】
　上記の構成に加えて、図４Ａ及び図５Ａに示すように、ホルダー４７１は、さらに、前面プレートと結合され接触する前方の折り曲げ部４７１ｂを包む耐熱性のチューブ４７１ｃからなることが好ましい。
　チューブ４７１ｃは、パンの出し入れ時に左右に移動して、前面プレートの結合孔４２２と摩擦が発生するので、その移動が円滑に行われるように上記の耐熱性だけでなく、潤滑性にも優れた材質からなることが好ましい。
【００５７】
　即ち、チューブの材質としては、耐熱性や潤滑性に優れたテプロンなどのものが好ましい。ここで、テプロンは、比較的に手軽に購入しやすいという長所がある。しかし、テプロンはチューブ材質の一例に過ぎず、これに限定されるわけではないので、上述した耐熱性や潤滑性に優れた材質であれば何れのものでも良い。
【００５８】
　上記の構成とは異なり、トレイアセンブリは次の構成からなることもある。ここで、トレイアセンブリ４６０は、パンを受け入れる時に一方に傾かないようにする少なくとも１つのトレイ４６１と、トレイの下部に装着され、パンの出し入れのために移動可能なトレイサポータ４６２と、そして、トレイサポータを移動させる出し入れ装置４６３とからなる。
【００５９】
　図７Ａ、図７Ｂに基づいてより詳細に説明すると、トレイは、パンを受け入れるベース４６１ａと、そして、パンの後方を支持すると同時に、パンが傾かないよう両面を支え、パンの後方支持面と所定の角度を有して形成された翼部４６１ｃを有する支持部４６１ｂとからなる。
【００６０】
　ベース４６１ａは、長さ方向の両側にパンの下部の両面を支持するように、パンを受け入れる面と所定の角度を有して形成された翼部４６１ｄからなることが好ましい。
【００６１】
　ベースと支持部の翼部４６１ｃ、４６１ｄは、パンを受け入れかつ支え、各翼部は、基準面と９０°〜１８０°の角度となることが好ましい。この角度を有すれば、投入されるパンの厚さに関わらず、効果的にパンが傾くことを防止できる。
【００６２】
　本発明のまた他の実施形態として、トレイアセンブリは、図８に示すように、上述の翼部を有するトレイと、上述のホルダー部４７０とを共に含むこともある。ホルダーは、前方の折り曲げ部の先端に上述のチューブを含むことも好ましい。
【００６３】
　上記のような構造を用いると、トースタケースの内部に投入されたパンをより効率的に固定しうる。
　より詳細に説明すると、支持部に形成された翼部４６１ｃは、投入されたパンの後方を支持し、これと同時にホルダー４７１は、パンの前方を固定するので、パンの前部及び、後部が、左、右の何れの側にも傾いたり片寄ることないようにトレイ４６１上に受け入れられる。そして、ホルダーが移動する場合にも、ホルダーの前方の折り曲げ部の先端に設置されたチューブによって運動が円滑に行われる。
【００６４】
　上記のように構成された電子レンジのトースタが動作する過程を図４Ａ、図４Ｂ、図５Ａ及び図５Ｂに基づいて詳細に説明する。
【００６５】
　まず、ユーザがパンを焼く場合、トースタドア４４０を操作してトースタケース４１０の前面を開く。この際、トースタドア４４０の両側面に連結された連結レバー４６３が回転しながら動き、これによって連結レバーの他端に連結されたトレイサポータ４６２は、トースタケースの前方に移動する。
　即ち、トレイサポータ４６２の各ブッシング４６６は、トースタケースの両側面に形成された各スリット４１１の案内を受けて前方に移動し、トレイサポータ４６２の上部に設けられた各トレイ４６１も前方に移動して、その一部がトースタケース４１０の開口した前面を通して外部に露出される。
【００６６】
　この際、ホルダー部の間隔を空ける手段４７３は、トレイサポータ４６２と共に前方に移動しながら折り曲げられたワイヤスプリング４７２間の幅を狭め、これとは逆に、ワイヤスプリング４７２の交差地点を基準に折り曲げ部の反対側に形成されたワイヤスプリング４７２の両端は互いに離れるようになる。
【００６７】
　上記過程によってワイヤスプリング４７２の両端に連結されたホルダー４７１の前方下端は左、右に広がり、一対のホルダー４７１間の間隔が離れるようになる。この状態を図４Ａ及び図５Ａに示す。
【００６８】
　次に、ユーザがパンを露出された各トレイ４６１に置き、トースタドア４４０を閉めると、トレイサポータ４６２は、出し入れ装置に備えられたスプリング４６３ｂの復元力によってトースタケース４１０の内部に移動し、トースタドアは連結レバー４６３ａの回転によって閉められる。これにより、パンもトースタケース４１０の内部に入り、調理位置に受け入れられる。
【００６９】
　上述したパンの入れる過程において、ホルダー部４７０の動作は、上述のトースタドア４４０の開過程とは逆に行われる。これをより詳細に説明すると、ホルダー部の間隔を空ける手段４７３は、トレイサポータ４６２と共に後方に移動し、ワイヤスプリング４７２は弾性によって元の形状に戻る。
　したがって、折り曲げられたワイヤスプリング４７２間の間隔は広がり、これと逆に、交差地点を基準に折り曲げ部の反対側に形成されたワイヤスプリングの両端間の間隔は互いに狭まる。
【００７０】
　上記の過程によってワイヤの両端に連結された一対のホルダー４７１の間が狭まって調理位置に受け入れられたパンを固定し、これによってパンの両面が均一に焼かれる。この状態を図４Ｂ及び図５Ｂに示す。
【００７１】
　その後、ヒータアセンブリに電源が供給されるとパン焼きが行われ、トースタドアが開されると、上記の過程によってパンの固定状態が解除されて外部に引き出される。
【図面の簡単な説明】
【００７２】
【図１】従来の電子レンジの一般的な構造を示す分解斜視図である。
【図２】本発明に係るトースタ付電子レンジを示す分解斜視図である。
【図３】本発明に係るトースタ付電子レンジにおいて、トースト部を示す分解斜視図である。
【図４Ａ】本発明に係るトースタ付電子レンジにおいて、トースタ部のトレイアセンブリの動作を示す平面図である（トースタドア開状態）。
【図４Ｂ】本発明に係るトースタ付電子レンジにおいて、トースタ部のトレイアセンブリの動作を示す平面図である（トースタドア閉状態）。
【図５Ａ】本発明に係るトースタ付電子レンジにおいて、トースタ部のトレイアセンブリと、トレイアセンブリ出し入れ装置の動作を示す側面図である（出し状態）。
【図５Ｂ】本発明に係るトースタ付電子レンジにおいて、トースタ部のトレイアセンブリと、トレイアセンブリ出し入れ装置の動作を示す側面図である（入り状態）。
【図６】本発明に係るトースタ付電子レンジにおいて、トースタ部のトレイアセンブリを構成するトレイサポータ、そして、ホルダー部の間隔を空ける手段を示す平面図である。
【図７Ａ】トースタのトレイアセンブリを構成するトレイの他の一形態を示す平面図である。
【図７Ｂ】トースタのトレイアセンブリを構成するトレイの他の一形態を示す側面図である。
【図８】本発明に係るトースタ付電子レンジにおいて、トレイアセンブリのまた他の一実施形態を示す平面図。
【符号の説明】
【００７３】
４００…トースタ
４１０…トースタケース
４２０…前面プレート
４３０…前面パネル
４４０…トースタドア
４５０…ヒータアセンブリ
４６０…トレイアセンブリ
４６２…トレイサポータ
４６３…出し入れ装置
４７０…ホルダー部
４７２…スプリング
４７３…間隔を空ける手段
４８０…パン粉受部
【図１】
2004097827.tif 000003
【図２】
2004097827.tif 000004
【図３】
2004097827.tif 000005
【図４Ａ】
2004097827.tif 000006
【図４Ｂ】
2004097827.tif 000007
【図５Ａ】
2004097827.tif 000008
【図５Ｂ】
2004097827.tif 000009
【図６】
2004097827.tif 000010
【図７Ａ】
2004097827.tif 000011
【図７Ｂ】
2004097827.tif 000012
【図８】
2004097827.tif 000013